(57)【要約】【課題】音源を有しながら体積も小さく軽量で、また薄型の室内インテリアとして好ましい照明装置を提供する。【解決手段】基板ケース１０の一方の面に矢印Ｄ方向に光を発する第一の光源１を設ける、基板ケース１０の他方の面に矢印Ｕ方向に光を発する第二の光源２，２と音源３を設ける。第一の光源１側に第一の拡散部材１１を設け、第二の光源２，２側に第二の拡散部材１２を設ける。第一の拡散部材１１と第二の拡散部材１２を外装とする。第一の光源１と第二の光源２，２を有機ＥＬ発光素子で構成する。音源３をＨＶＴスピーカで構成する。音源３の音を第一の拡散部材１１と第二の拡散部材１２で水平方向に誘導する。【選択図】図１
2014041603.tif 000002
【特許請求の範囲】
【請求項１】
光源と音源を有する照明装置であって、
前記光源は少なくとも、第一の方向に光を発する第一の光源を有し、
前記第一の光源の光放射方向には、該第一の光源から発せられた光の一部を拡散する第一の拡散部材が備えられていることを特徴とする照明装置。
【請求項２】
請求項１に記載の照明装置であって、
前記光源は、前記第一の方向とは異なる第二の方向に光を発する第二の光源を有することを特徴とする照明装置。
【請求項３】
請求項２に記載の照明装置であって、
前記音源は、前記第一の方向とは異なる第二の方向に音を発することを特徴とする照明装置。
【請求項４】
請求項１に記載の照明装置であって、
前記音源は、前記第一の方向に音を発することを特徴とする照明装置。
【請求項５】
請求項３に記載の照明装置であって、
前記音源から発せられた音を前記第一の方向とは異なる方向に音を誘導する誘導部材を備えたことを特徴とする照明装置。
【請求項６】
請求項５に記載の照明装置であって、
前記誘導部材が前記拡散部材を兼ねていることを特徴とする照明装置。
【請求項７】
請求項１に記載の照明装置であって、
前記第一の方向が下方向となるように配置して使用されるよう構成されたことを特徴とする照明装置。
【請求項８】
請求項５に記載の照明装置であって、
前記音源から発せられる音を前記誘導部材によって当該照明装置の水平方向に誘導することを特徴とする照明装置。
【請求項９】
請求項３に記載の照明装置であって、
前記第二の光源の光放射方向に、該第二の光源から発せられた光の一部を拡散する第二の拡散部材を備えたことを特徴とする照明装置。
【請求項１０】
請求項３に記載の照明装置であって、
前記音源の音を放射する面と前記光源の光を発する面が略同じ平面上にあることを特徴とする照明装置。
【請求項１１】
請求項３に記載の照明装置であって、
前記第一の拡散部材が楕円柱面をその母線に沿って切断した形状であることを特徴とする照明装置。
【請求項１２】
請求項３に記載の照明装置であって、
前記第一の拡散部材が平板状であることを特徴とする照明装置。
【請求項１３】
請求項９に記載の照明装置であって、
前記第一の拡散部材と前記第二の拡散部材とが楕円柱面をその母線に沿って切断した形状であることを特徴とする照明装置。
【請求項１４】
請求項８に記載の照明装置であって、
前記音源から発せられる音が前記誘導部材によって誘導される方向は開口されていることを特徴とする照明装置。
【請求項１５】
請求項１乃至１４のいずれか一項に記載の照明装置であって、
前記光源が有機発光素子であることを特徴とする照明装置。
【請求項１６】
請求項１乃至１４のいずれか一項に記載の照明装置であって、
前記光源が複数の光源ユニットからなることを特徴とする照明装置。
【請求項１７】
請求項１乃至１４のいずれか一項に記載の照明装置であって、
前記光源が外側に湾曲した形状であることを特徴とする照明装置。
【発明の詳細な説明】
【技術分野】
【０００１】
本発明は、例えば室内天井に設ける照明装置に関する。
【背景技術】
【０００２】
従来、照明装置として、例えば特許第２５７０７６３号公報（特許文献１）に開示されたものがある。この従来の照明装置は、円錐台状の覆いカバー内に複数の環状管球（蛍光灯）を配設し、覆いカバーの上部のベースを取り付けた照明器具を用いている。そして、この照明器具のベースの上に４つのスピーカユニットを配設したものである。これにより、照明器具の上部空間をスピーカユニットの配設空間として利用している。
【先行技術文献】
【特許文献】
【０００３】
【特許文献１】特許第２５７０７６３号公報
【発明の概要】
【発明が解決しようとする課題】
【０００４】
しかしながら、上述の従来の照明装置では、蛍光灯による一般的な照明器具の上に一般的なスピーカユニットを載置したという蛍光灯とスピーカの組み合わせであり、嵩張るとともに重量も大きなものとなっている。このため、室内インテリアとしてば存在感が有りすぎて改良の余地を残している。【０００５】
本発明は、音源を有しながら体積も小さく軽量で、また薄型の室内インテリアとして好ましい照明装置を提供することを課題とする。
【課題を解決するための手段】
【０００６】
請求項１の照明装置は、光源と音源を有する照明装置であって、前記光源は少なくとも、第一の方向に光を発する第一の光源を有し、前記第一の光源の光放射方向には、該第一の光源から発せられた光の一部を拡散する第一の拡散部材が備えられていることを特徴とする。
【図面の簡単な説明】
【０００７】
【図１】本発明の第１実施例の照明装置の４面図である。
【図２】本発明の第２実施例の照明装置の側面図である。
【図３】本発明の第３実施例の照明装置の側面図である。
【図４】本発明の第４実施例の照明装置の側面図である。
【図５】本発明の第５実施例の照明装置の側面図である。
【図６】本発明の第６実施例の照明装置の側面図である。
【発明を実施するための形態】
【０００８】
以下、本発明の一実施形態を説明する。本発明の一実施形態に係る照明装置は、光源と音源を有する照明装置であって、前記光源は少なくとも、第一の方向に光を発する第一の光源を有し、前記第一の光源の光放射方向には、該第一の光源から発せられた光の一部を拡散する第一の拡散部材が備えられている。これにより、音源を有しながら体積も小さく軽量で、また薄型の室内インテリアとして好ましくなる。また、拡散部材により光源で発せられた光を調光することができる。
【０００９】
また、前記光源は、前記第一の方向とは異なる第二の方向に光を発する第二の光源を有するものでもよい。これにより、例えば第一の光源と第二の光源の両方で照明したり、第二の光源のみで間接照明を行うなど、照明の態様を多様に変えることができる。
【００１０】
また、前記音源は、前記第一の方向とは異なる第二の方向に音を発するものでもよい。これにより、例えば第一の光源で下方に向けて照明を行い、音源で下方と異なる方向に音を放音して音響効果を得ることができる。
【００１１】
また、前記音源は、前記第一の方向に音を発するものでもよい。これにより、例えば第一の光源で下方に向けて照明を行い、音源で下方にダイナミックな音を放音することもできる。
【００１２】
また、前記音源から発せられた音を前記第一の方向とは異なる方向に音を誘導する誘導部材を備えたものでもよい。これにより、音を所望の方向に誘導して音響効果を高めることもできる。
【００１３】
また、前記誘導部材が前記拡散部材を兼ねているものでもよい。これにより、部品点数を削減できる。
【００１４】
また、前記第一の方向が下方向となるように配置して使用されるよう構成されたものでもよい。これにより、当該照明装置を室内の天井等に設けて室内照明を行うのに適したものとなる。
【００１５】
また、前記音源から発せられる音を前記誘導部材によって当該照明装置の水平方向に誘導するものでもよい。これにより、例えば光源で発せられた光を下方に向けて照明を行うとともに、横方向に音を誘導して音響効果を高めることができる。
【００１６】
また、前記第二の光源の光放射方向に、該第二の光源から発せられた光の一部を拡散する第二の拡散部材を備えたものでもよい。これにより、第二の光源から発せられた例えば間接照明の光についても調光することができる。
【００１７】
また、前記音源の音を放射する面と前記光源の光を発する面が略同じ平面上にあるものでもよい。これにより、当該照明装置の上記面方向の厚みを薄くすることができる。
【００１８】
また、前記第一の拡散部材が楕円柱面をその母線に沿って切断した形状であるものでもよい。これにより、例えば当該照明装置を室内の天井等に設けて第一の光源で下方に向けて照明を行う場合、第一の拡散部材の楕円の円弧状に膨出した側を下から見ることになるので、丸みのある外観上優れた照明装置となる。
【００１９】
また、前記第一の拡散部材が平板状であるものでもよい。これにより、例えば当該照明装置を室内の天井等に設けて第一の光源で下方に向けて照明を行う場合、第一の拡散部材のフラットな面を下から見ることになるので、外観上優れた照明装置となる。
【００２０】
また、前記第一の拡散部材と前記第二の拡散部材とが楕円柱面をその母線に沿って切断した形状であるものでもよい。これにより、例えば当該照明装置を室内の天井等に設けて第一の光源で下方に向けて照明を行う場合、第一の拡散部材の楕円の円弧状に膨出した側を下から見ることになるので、丸みのある外観上優れた照明装置となるとともに、両拡散部材の丸みにより当該照明装置の外観全体も優れた照明装置となる。
【００２１】
また、前記音源から発せられる音が前記誘導部材によって誘導される方向は開口されているものでもよい。これにより、誘導部材から効果的に放音できる。
【００２２】
また、前記光源が有機発光素子であるものでもよい。これにより、光源がさらに薄型になり、当該照明装置がさらに薄型になる。
【００２３】
また、前記光源が複数の光源ユニットからなるものでもよい。これにより、例えば各光源ユニットの光の強さや色等を異ならせて、照明の態様を多様に変えることができる。
【００２４】
また、前記光源が外側に湾曲した形状であるものでもよい。これにより、例えば、拡散部材を楕円柱面をその母線に沿って切断した形状として、光源をこの拡散部材の形状に倣った形状として拡散部材と光源との距離を略一定にすることができる。
【実施例１】
【００２５】
本発明の一実施例を、図１乃至図６に基づいて説明する。なお、以下の各実施例において、同様な要素には同符号を付記して重複する説明は省略する。【００２６】
（第１実施例）本発明の第１実施例の照明装置は、図１に示すように、薄型箱状の長方形の基板ケース１０、薄型板状の長方形の有機ＥＬ発光素子からなる第一の光源１、薄型板状の正方形の有機ＥＬ発光素子からなる２つの第二の光源２，２、薄型板状の矩形の音源３、第一の拡散部材１１、第二の拡散部材１２，連結部材１３を備えている。【００２７】
基板ケース１０の一方の面に第一の光源１が取り付けられ、基板ケース１０の他方の面に音源３と第二の光源２，２が取り付けられている。基板ケース１０の両側にはフレーム１０ａ（図１(A) ）が取り付けられ、このフレーム１０ａに連結部材１３が取り付けられている。連結部材１３は第一の拡散部材１１と第二の拡散部材１２をそれぞれ湾曲した状態で連結している。これにより、第一の拡散部材１１と第二の拡散部材１２は、楕円柱面をその母線に沿って切断した形状となっている。また、第一の拡散部材１１と第二の拡散部材１２は、基板ケース１０、第一の光源１、第二の光源２，２、音源３を覆うように、当該照明装置の外装を兼ねている。さらに、第一の拡散部材１１と第二の拡散部材１２は、樋形状の膨出した側を互いに反対外側方向（矢印Ｄ方向と矢印Ｕ方向）に向けて配置されている。【００２８】
また、第一の拡散部材１１と第二の拡散部材１２は、乳白色の半透明のプラスチック板で形成されている。そして、第一の拡散部材１１は第一の光源１から発せられた光を拡散し、第一の拡散部材１２は第二の光源２，２から発せられた光を拡散するする。【００２９】
また、第一の拡散部材１１と第二の拡散部材１２は、当該照明装置の外装を兼ねているが、その両端部は開口されるとともに、樋形状により音源３から発せられた音を矢印Ｈ方向に誘導する。【００３０】
音源３は、特許第４４５７１６５号に記載されているような薄型スピーカである。なお、この薄型スピーカは、上下に動く振動板の横に水平方向に動くボイスコイル等を配置し、ボイスコイルの水平方向への振動きをリンク機構等によって振動板の垂直方向の動きに変換させて発音するものである。したがって、音源３は薄型になっている。この振動板の面が音源３の音を放射する面である。【００３１】
基板ケース１０内には、音源３で発音するためのオーディオ信号を外部から受信するための受信機やアンプ等が内蔵されている。また、基板ケース１０内には、第一の光源１、第二の光源２，２を駆動するための、電源回路やコントローラ等が内蔵されている。なお、基板ケース１０は図示しない部材により天井から吊り下げられるよう構成され、図１(A) の矢印Ｕ方向が上（天井）方向、矢印Ｄ方向が下（床）方向である。【００３２】
また、第一の方向（矢印Ｄ方向）とは異なる第二の方向（矢印Ｕ方向）に光を発する第二の光源２，２を有する。これにより、例えば第一の光源１と第二の光源２，２の両方で照明したり、第二の光源２，２のみで間接照明を行うなど、照明の態様を多様に変えることができる。【００３３】
また、音源３は、第一の方向（矢印Ｄ方向）とは異なる第二の方向（矢印Ｕ方向）に音を発するものとなっている。これにより、例えば第一の光源１で下方に向けて照明を行い、音源３で下方と異なる天井方向に音を放音して音響効果を得ることができる。【００３４】
また、音源３は、第一の方向（矢印Ｄ方向）に音を発するものでもよい。これにより、例えば第一の光源１で下方に向けて照明を行い、音源３で下方にダイナミックな音を放音することもできる。【００３５】
また、音源３から発せられた音を第一の方向（矢印Ｄ方向）とは異なる方向（矢印Ｈ方向）に音を誘導する誘導部材として第一の拡散部材１１と第二の拡散部材１２を備えたものとなっている。これにより、音を所望の方向に誘導して音響効果を高めることもできる。【００３６】
また、誘導部材が拡散部材を兼ねているので、部品点数を削減できる。【００３７】
また、当該照明装置は、第一の方向（矢印Ｄ方向）が下方向となるように配置して使用されるよう構成されている。これにより、当該照明装置を室内の天井等に設けて室内照明を行うのに適したものとなる。【００３８】
また、音源３から発せられる音を第一の拡散部材１１と第二の拡散部材１２（誘導部材）によって当該照明装置の水平方向（矢印Ｈ方向）に誘導するものとなっている。これにより、例えば第一の光源１で発せられた光を下方（矢印Ｄ方向）に向けて照明を行うとともに、横方向（矢印Ｈ方向）に音を誘導して音響効果を高めることができる。【００３９】
また、第二の光源２，２の光放射方向に、該第二の光源２，２から発せられた光を拡散する第二の拡散部材１２を備えたものとなっている。これにより、第二の光源２，２から発せられた例えば間接照明の光についても調光することができる。【００４０】
また、音源３の音を放射する面と光源１，２，２の光を発する面が略同じ平面上にある。これにより、当該照明装置の上記面方向の厚みが薄くなっている。【００４１】
また、第一の拡散部材１１が楕円柱面をその母線に沿って切断した形状であり、該第一の拡散部材１１が当該照明装置の外装を兼ねて樋形状の膨出した側を外側方向に向けて第一の光源１を覆うように配置されている。これにより、例えば当該照明装置を室内の天井等に設けて第一の光源１で下方に向けて照明を行う場合、第一の拡散部材１１の楕円の円弧状に膨出した側を下から見ることになるので、丸みのある外観上優れた照明装置となっている。【００４２】
また、第１実施例及び第６実施例では、第一の拡散部材１１と第二の拡散部材１２とが楕円柱面をその母線に沿って切断した形状であり、両拡散部材１１，１２が当該照明装置の外装を兼ねて樋形状の膨出した側を互いに反対外側方向（矢印Ｄ方向と矢印Ｕ方向）に向けて配置されている。これにより、例えば当該照明装置を室内の天井等に設けて第一の光源１で下方に向けて照明を行う場合、第一の拡散部材１１の楕円の円弧状に膨出した側を下から見ることになるので、丸みのある外観上優れた照明装置となるとともに、両拡散部材１１，１２の丸みにより当該照明装置の外観全体も優れた照明装置となっている。【００４３】
また、前記音源３が特許第４４５７１６５号に記載されているような薄型スピーカである。これにより、音源３がさらに薄型になり、当該照明装置はさらに薄型になっている。【００４４】
また、光源１，２，２が有機ＥＬ発光素子（有機発光素子）である。これにより、光源１，２，２がさらに薄型になり、当該照明装置はさらに薄型になっている。【００４５】
また、光源１，２，２が複数の光源ユニットからなる。これにより、例えば各光源ユニットの光の強さや色等を異ならせて、照明の態様を多様に変えることができる。
【実施例２】
【００４６】
（第２実施例）本発明の第２実施例の照明装置は、図２に示すように、平板状の第一の拡散部材１１′、第二の拡散部材１２′を備えており、基板ケース１０の一方の面に矢印Ｄ方向に光を発する第一の光源１が取り付けられ、基板ケース１０の他方の面に音源３と矢印Ｕ方向に光を発する第二の光源２が取り付けられている。【００４７】
第一の拡散部材１１′と第二の拡散部材１２′は、乳白色の半透明のプラスチック板で形成されている。そして、第一の拡散部材１１′は第一の光源１から発せられた光を拡散し、第一の拡散部材１２′は第二の光源２から発せられた光を拡散するする。また、第一の拡散部材１１′と第二の拡散部材１２′は、当該照明装置の外装を兼ねているが、その外周は開口され、音源３から発せられた音を矢印Ｈ方向に誘導する。【００４８】
この第２実施例では、第一の拡散部材１１が平板状であり、第一の拡散部材１１が当該照明装置の外装を兼ねて第一の光源１を覆うように配置されている。これにより、例えば当該照明装置を室内の天井等に設けて第一の光源１で下方に向けて照明を行う場合、第一の拡散部材１１のフラットな面を下から見ることになるので、外観上優れた照明装置となっている。
【実施例３】
【００４９】
（第３実施例）本発明の第３実施例の照明装置は、図３に示すように、平板状の第一の拡散部材１１′、第二の拡散部材１２′を備えており、基板ケース１０の一方の面に矢印Ｄ方向に光を発する第一の光源１が取り付けられ、基板ケース１０の他方の面に音源３が取り付けられている。そして、第一の拡散部材１１′は第一の光源１から発せられた光を拡散しする。また、第一の拡散部材１１′と第二の拡散部材１２′は、当該照明装置の外装を兼ねているが、その外周は開口され、音源３から発せられた音を矢印Ｈ方向に誘導する。この第３実施例でも、第一の拡散部材１１が平板状であり、第一の拡散部材１１が当該照明装置の外装を兼ねて第一の光源１を覆うように配置されている。これにより、例えば当該照明装置を室内の天井等に設けて第一の光源１で下方に向けて照明を行う場合、第一の拡散部材１１のフラットな面を下から見ることになるので、外観上優れた照明装置となっている。
【実施例４】
【００５０】
（第４実施例）本発明の第４実施例の照明装置は、図４に示すように、平板状の第一の拡散部材１１′、第二の拡散部材１２′を備えており、基板ケース１０の一方の面に矢印Ｕ方向に光を発する第一の光源１が取り付けられ、基板ケース１０の他方の面に音源３と矢印Ｄ方向に光を発する第二の光源２が取り付けられている。【００５１】
そして、第一の拡散部材１１′は第一の光源１から発せられた光を拡散し、第一の拡散部材１２′は第二の光源２から発せられた光を拡散するする。また、第一の拡散部材１１′と第二の拡散部材１２′は、当該照明装置の外装を兼ねているが、その外周は開口され、音源３から発せられた音を矢印Ｈ方向に誘導する。
【実施例５】
【００５２】
（第５実施例）本発明の第５実施例の照明装置は、図５に示すように、平板状の第一の拡散部材１１′、第二の拡散部材１２′を備えており、基板ケース１０の一方の面に矢印Ｕ方向に光を発する第一の光源１が取り付けられ、基板ケース１０の他方の面に音源３が取り付けられている。そして、第一の拡散部材１１′は第一の光源１から発せられた光を拡散しする。また、第一の拡散部材１１′と第二の拡散部材１２′は、当該照明装置の外装を兼ねているが、その外周は開口され、音源３から発せられた音を矢印Ｈ方向に誘導する。
【実施例６】
【００５３】
（第６実施例）本発明の第６実施例の照明装置は、図６に示すように、第１実施例と同じ第一の拡散部材１１、第二の拡散部材１２を備え、基板ケース１０の一方の面に第一の光源１′が取り付けられ、基板ケース１０の他方の面に音源３と第二の光源２′が取り付けられている。この第６実施例では、光源１′２′が外側に湾曲した形状である。これにより、例えば、拡散部材１１，１２を楕円柱面をその母線に沿って切断した形状となっており、光源１′，２′をこの拡散部材１１，１２の形状に倣った形状としなっている。これにより、第一の拡散部材１１と第一の光源１′、第２の拡散部材１２と第二の光源２′とのそれぞれの距離を略一定にすることができる。【００５４】
（付記１）光源１，２と音源３を有する照明装置であって、前記光源１，２は少なくとも、第一の方向に光を発する第一の光源１を有し、前記第一の光源１の光放射方向には、該第一の光源から発せられた光の一部を拡散する第一の拡散部材１１が備えられていることを特徴とする照明装置。【００５５】
（付記２）請求項１に記載の照明装置であって、前記光源１，２は、前記第一の方向とは異なる第二の方向に光を発する第二の光源２を有することを特徴とする照明装置。【００５６】
（付記３）請求項２に記載の照明装置であって、前記音源は、前記第一の方向とは異なる第二の方向に音を発することを特徴とする照明装置。【００５７】
（付記４）請求項１に記載の照明装置であって、前記音源３は、前記第一の方向に音を発することを特徴とする照明装置。【００５８】
（付記５）請求項３に記載の照明装置であって、前記音源３から発せられた音を前記第一の方向とは異なる方向に音を誘導する誘導部材（１１，１２，１１′，１２′）を備えたことを特徴とする照明装置。【００５９】
（付記６）請求項５に記載の照明装置であって、前記誘導部材（１１，１２，１１′，１２′）が前記拡散部材１１，１２，１１′，１２′を兼ねていることを特徴とする照明装置。【００６０】
（付記７）請求項１に記載の照明装置であって、前記第一の方向が下方向となるように配置して使用されるよう構成されたことを特徴とする照明装置。【００６１】
（付記８）請求項５に記載の照明装置であって、前記音源３から発せられる音を前記誘導部材（１１，１２，１１′，１２′）によって当該照明装置の水平方向に誘導することを特徴とする照明装置。【００６２】
（付記９）請求項３に記載の照明装置であって、前記第二の光源２の光放射方向に、該第二の光源２から発せられた光の一部を拡散する第二の拡散部材１２を備えたことを特徴とする照明装置。【００６３】
（付記１０）請求項３に記載の照明装置であって、前記音源３の音を放射する面と前記光源１，２の光を発する面が略同じ平面上にあることを特徴とする照明装置。【００６４】
（付記１１）請求項３に記載の照明装置であって、前記第一の拡散部材１１が楕円柱面をその母線に沿って切断した形状であることを特徴とする照明装置。【００６５】
（付記１２）請求項３に記載の照明装置であって、前記第一の拡散部材１１′が平板状であることを特徴とする照明装置。【００６６】
（付記１３）請求項９に記載の照明装置であって、前記第一の拡散部材１１と前記第二の拡散部材１２とが楕円柱面をその母線に沿って切断した形状であることを特徴とする照明装置。【００６７】
（付記１４）請求項８に記載の照明装置であって、前記音源３から発せられる音が前記誘導部材によって誘導される方向は開口されていることを特徴とする照明装置。【００６８】
（付記１５）請求項１乃至１４のいずれか一項に記載の照明装置であって、前記光源１，２が有機発光素子であることを特徴とする照明装置。【００６９】
（付記１６）請求項１乃至１４のいずれか一項に記載の照明装置であって、前記光源１，２が複数の光源ユニットからなることを特徴とする照明装置。【００７０】
（付記１７）請求項１乃至１４のいずれか一項に記載の照明装置であって、前記光源１′，２′が外側に湾曲した形状であることを特徴とする照明装置。
【符号の説明】
【００７１】
１，１′      第一の光源
２，２′      第二の光源
３            音源
１１，１１′  第一の拡散部材
１２，１２′  第二の拡散部材
【図１】
2014041603.tif 000003
【図２】
2014041603.tif 000004
【図３】
2014041603.tif 000005
【図４】
2014041603.tif 000006
【図５】
2014041603.tif 000007
【図６】
2014041603.tif 000008
【手続補正書】
【提出日】平成27年3月3日(2015.3.3)
【手続補正１】
【補正対象書類名】明細書
【補正対象項目名】０００６
【補正方法】変更
【補正の内容】
【０００６】
請求項１の照明装置は、光源と音源を有する照明装置であって、オーディオ信号を受信する受信機を備えるとともに、前記光源は少なくとも、第一の方向に光を発する第一の光源を有し、前記第一の光源の光放射方向には、該第一の光源から発せられた光の一部を拡散する第一の拡散部材が備えられていることを特徴とする。
【手続補正２】
【補正対象書類名】明細書
【補正対象項目名】００１２
【補正方法】変更
【補正の内容】
【００１２】
また、前記音源から発せられた音を前記第一の方向とは異なる方向に誘導する誘導部材を備えたものでもよい。これにより、音を所望の方向に誘導して音響効果を高めることもできる。
【手続補正３】
【補正対象書類名】明細書
【補正対象項目名】００２１
【補正方法】変更
【補正の内容】
【００２１】
また、前記音源から発せられる音が前記誘導部材によって誘導される方向は開口されているものでもよい。これにより、誘導部材から効果的に放音できる。
また、前記第一の拡散部材と前記第二の拡散部材とが当該照明装置の外装を兼ねていてもよい。
【手続補正４】
【補正対象書類名】明細書
【補正対象項目名】００５８
【補正方法】変更
【補正の内容】
【００５８】
（付記５）請求項３に記載の照明装置であって、前記音源３から発せられた音を前記第一の方向とは異なる方向に誘導する誘導部材（１１，１２，１１′，１２′）を備えたことを特徴とする照明装置。
【手続補正５】
【補正対象書類名】明細書
【補正対象項目名】００６７
【補正方法】変更
【補正の内容】
【００６７】
（付記１４）請求項８に記載の照明装置であって、前記音源３から発せられる音が前記誘導部材によって誘導される方向は開口されていることを特徴とする照明装置。
（付記１５）請求項９または１３に記載の照明装置であって、前記第一の拡散部材１１（１１′）と前記第二の拡散部材１２（１２′）とが当該照明装置の外装を兼ねていることを特徴とする照明装置。
【手続補正６】
【補正対象書類名】明細書
【補正対象項目名】００６８
【補正方法】変更
【補正の内容】
【００６８】
（付記１６）請求項１乃至１５のいずれか一項に記載の照明装置であって、前記光源１，２が有機発光素子であることを特徴とする照明装置。
【手続補正７】
【補正対象書類名】明細書
【補正対象項目名】００６９
【補正方法】変更
【補正の内容】
【００６９】
（付記１７）請求項１乃至１５のいずれか一項に記載の照明装置であって、前記光源１，２が複数の光源ユニットからなることを特徴とする照明装置。
【手続補正８】
【補正対象書類名】明細書
【補正対象項目名】００７０
【補正方法】変更
【補正の内容】
【００７０】
（付記１８）請求項１乃至１５のいずれか一項に記載の照明装置であって、前記光源１′，２′が外側に湾曲した形状であることを特徴とする照明装置。
【手続補正９】
【補正対象書類名】特許請求の範囲
【補正対象項目名】全文
【補正方法】変更
【補正の内容】
【特許請求の範囲】
【請求項１】
光源と音源を有する照明装置であって、
オーディオ信号を受信する受信機を備えるとともに、
前記光源は少なくとも、第一の方向に光を発する第一の光源を有し、
前記第一の光源の光放射方向には、該第一の光源から発せられた光の一部を拡散する第一の拡散部材が備えられていることを特徴とする照明装置。
【請求項２】
請求項１に記載の照明装置であって、
前記光源は、前記第一の方向とは異なる第二の方向に光を発する第二の光源を有することを特徴とする照明装置。
【請求項３】
請求項２に記載の照明装置であって、
前記音源は、前記第一の方向とは異なる第二の方向に音を発することを特徴とする照明装置。
【請求項４】
請求項１に記載の照明装置であって、
前記音源は、前記第一の方向に音を発することを特徴とする照明装置。
【請求項５】
請求項３に記載の照明装置であって、
前記音源から発せられた音を前記第一の方向とは異なる方向に誘導する誘導部材を備えたことを特徴とする照明装置。
【請求項６】
請求項５に記載の照明装置であって、
前記誘導部材が前記拡散部材を兼ねていることを特徴とする照明装置。
【請求項７】
請求項１に記載の照明装置であって、
前記第一の方向が下方向となるように配置して使用されるよう構成されたことを特徴とする照明装置。
【請求項８】
請求項５に記載の照明装置であって、
前記音源から発せられる音を前記誘導部材によって当該照明装置の水平方向に誘導することを特徴とする照明装置。
【請求項９】
請求項３に記載の照明装置であって、
前記第二の光源の光放射方向に、該第二の光源から発せられた光の一部を拡散する第二の拡散部材を備えたことを特徴とする照明装置。
【請求項１０】
請求項３に記載の照明装置であって、
前記音源の音を放射する面と前記光源の光を発する面が略同じ平面上にあることを特徴とする照明装置。
【請求項１１】
請求項３に記載の照明装置であって、
前記第一の拡散部材が楕円柱面をその母線に沿って切断した形状であることを特徴とする照明装置。
【請求項１２】
請求項３に記載の照明装置であって、
前記第一の拡散部材が平板状であることを特徴とする照明装置。
【請求項１３】
請求項９に記載の照明装置であって、
前記第一の拡散部材と前記第二の拡散部材とが楕円柱面をその母線に沿って切断した形状であることを特徴とする照明装置。
【請求項１４】
請求項８に記載の照明装置であって、
前記音源から発せられる音が前記誘導部材によって誘導される方向は開口されていることを特徴とする照明装置。
【請求項１５】
請求項９または１３に記載の照明装置であって、
前記第一の拡散部材と前記第二の拡散部材とが当該照明装置の外装を兼ねていることを特徴とする照明装置。
【請求項１６】
請求項１乃至１５のいずれか一項に記載の照明装置であって、
前記光源が有機発光素子であることを特徴とする照明装置。
【請求項１７】
請求項１乃至１５のいずれか一項に記載の照明装置であって、
前記光源が複数の光源ユニットからなることを特徴とする照明装置。
【請求項１８】
請求項１乃至１５のいずれか一項に記載の照明装置であって、
前記光源が外側に湾曲した形状であることを特徴とする照明装置。
【国際調査報告】
2014041603.tif 000009
2014041603.tif 000010
2014041603.tif 000011
2014041603.tif 000012